(57)【要約】  【課題】  電源用ＬＥＤを抹消しても電源オン状態を表示でき安全規格を満たしたＤＶＤ及びＶＣＲ一体型テレビジョン受像機を提供することである。  【解決手段】  ＤＶＤ及びＶＣＲ一体型テレビジョン受像機１０は、ＤＶＤ再生機能と、ＶＣＲ録画・再生機能と、テレビジョン放送受像機能と、外部入力機能とを備え、現在の使用状態を表示するためのＴＶ用ＬＥＤ１１、ＶＣＲ用ＬＥＤ１２、ＤＶＤ用ＬＥＤ１３を備え、高圧が立ち上がっている電源オン状態では３つのＬＥＤ１１〜１３の少なくとも１つを点灯させる構成とする。【選択図】      図１
2005340969.tif 000002
【特許請求の範囲】
【請求項１】
ＤＶＤ再生機能と、ＶＣＲ録画・再生機能と、テレビジョン放送受像機能と、外部入力
機能とを備えたＤＶＤ及びＶＣＲ一体型テレビジョン受像機において、
現在の使用状態を表示するための単色のＴＶ用ＬＥＤ、ＶＣＲ用ＬＥＤ、ＤＶＤ用ＬＥ
Ｄを備え、
テレビジョン放送を受像するＴＶモード、ＤＶＤを再生するＤＶＤモード、ビデオテー
プを再生又は録画したり外部入力を行うＶＣＲ・外部モード、チャンネルを設定するため
のセットアップモードを備え、
ＴＶモードではＴＶ用ＬＥＤを点灯させ、
ＶＣＲ・外部モードであってＶＣＲ停止・再生中はＶＣＲ用ＬＥＤを点灯させ、
ＤＶＤモードであってＤＶＤ停止・再生中はＤＶＤ用ＬＥＤを点灯させ、
ＶＣＲ・外部モードであってＶＣＲ停止、且つ外部入力中はＴＶ用ＬＥＤを点灯させ、
ＴＶモードであってＶＣＲ録画中はＴＶ用ＬＥＤを点灯、且つＶＣＲ用ＬＥＤを点滅さ
せ、
ＤＶＤモードであってＤＶＤ停止・再生中、且つＶＣＲ録画中はＤＶＤ用ＬＥＤを点灯
、且つＶＣＲ用ＬＥＤを点滅させ、
ＶＣＲモードであってＶＣＲ録画、且つ外部入力中はＴＶ用ＬＥＤを点灯、且つＶＣＲ
用ＬＥＤを点滅させ、
セットアップモードではＴＶ用ＬＥＤを点灯させることを特徴とするＤＶＤ及びＶＣＲ
一体型テレビジョン受像機。
【請求項２】
ＤＶＤ再生機能と、ＶＣＲ録画・再生機能と、テレビジョン放送受像機能と、外部入力
機能とを備えたＤＶＤ及びＶＣＲ一体型テレビジョン受像機において、
現在の使用状態を表示するためのＴＶ用ＬＥＤ、ＶＣＲ用ＬＥＤ、ＤＶＤ用ＬＥＤを備
え、高圧が立ち上がっている電源オン状態では前記３つのＬＥＤの少なくとも１つを点灯
させることを特徴とするＤＶＤ及びＶＣＲ一体型テレビジョン受像機。
【請求項３】
チャンネルを設定するためのセットアップモードを備え、セットアップモードではＴＶ
用ＬＥＤを点灯させることを特徴とする請求項２記載のＤＶＤ及びＶＣＲ一体型テレビジ
ョン受像機。
【請求項４】
テレビジョン放送を受像するＴＶモード、ＤＶＤを再生するＤＶＤモード、ビデオテー
プを再生又は録画したり外部入力を行うＶＣＲ・外部モードを備え、
ＴＶモードではＴＶ用ＬＥＤを点灯させ、
ＶＣＲ・外部モードであってＶＣＲ停止・再生中はＶＣＲ用ＬＥＤを点灯させ、
ＤＶＤモードであってＤＶＤ停止・再生中はＤＶＤ用ＬＥＤを点灯させ、
ＶＣＲ・外部モードであってＶＣＲ停止、且つ外部入力中はＴＶ用ＬＥＤを点灯させ、
ＴＶモードであってＶＣＲ録画中はＴＶ用ＬＥＤを点灯、且つＶＣＲ用ＬＥＤを点滅さ
せ、
ＤＶＤモードであってＤＶＤ停止・再生中、且つＶＣＲ録画中はＤＶＤ用ＬＥＤを点灯
、且つＶＣＲ用ＬＥＤを点滅させ、
ＶＣＲモードであってＶＣＲ録画、且つ外部入力中はＴＶ用ＬＥＤを点灯、且つＶＣＲ
用ＬＥＤを点滅させることを特徴とする請求項２又は３記載のＤＶＤ及びＶＣＲ一体型テ
レビジョン受像機。
【請求項５】
前記ＴＶ用ＬＥＤ、ＶＣＲ用ＬＥＤ、ＤＶＤ用ＬＥＤは単色であることを特徴とする請
求項２〜４の何れかに記載のＤＶＤ及びＶＣＲ一体型テレビジョン受像機。
【発明の詳細な説明】
【技術分野】
【０００１】
本発明は、ＤＶＤ再生機能と、ＶＣＲ録画・再生機能と、テレビジョン放送受像機能と
を備えたＤＶＤ及びＶＣＲ一体型テレビジョン受像機に関するものである。
【背景技術】
【０００２】
従来よりテレビジョン受像機にＶＣＲ（Video Cassette Recorder）やＤＶＤ（Digital
Versatile Disc）を内蔵したＤＶＤ及びＶＣＲ一体型テレビジョン受像機がある。通常
、この複合機には使用状態を表示するために、電源用ＬＥＤ（Light Emitting Diode）、
ＴＶ用ＬＥＤ、ＶＣＲ用ＬＥＤ、ＤＶＤ用ＬＥＤが備えられている。電源をオン状態では
常に電源用ＬＥＤが点灯し、ＴＶ、ＶＣＲ、ＤＶＤの各モード切換に応じて各ＬＥＤが点
灯する。
【０００３】
ところで、特許文献１には、ＣＤを再生した場合、画面に現在ＣＤが再生中であること
をオンスクリーン表示によりユーザーに知らせるＤＶＤ一体型テレビジョン受像機が開示
されている。ＬＥＤや表示パネルを使用しないので部品の削減が可能となり、コストダウ
ンになる。
【特許文献１】特開平１１−４３９０号公報
【発明の開示】
【発明が解決しようとする課題】
【０００４】
上記のように、従来のＤＶＤ及びＶＣＲ一体型テレビジョン受像機には使用状態を表示
する４つのＬＥＤが設けられていた。特に電源用ＬＥＤは、高圧が立ち上がっている場合
はその表示を行わなければならないという日本の安全規格を満たすために設けられたもの
である。事実、米国ではそのような規格がないので米国用の機器には電源用ＬＥＤが設け
られていない。
【０００５】
また特許文献１では機器の使用状態をオンスクリーン表示しているが、電源用ＬＥＤに
代えて電源オン状態をオンスクリーン表示したとすると、常に画面上に電源オンの表示が
されることになり、目障りとなる。
【０００６】
本発明は、電源用ＬＥＤを抹消しても電源オン状態を表示でき安全規格を満たしたＤＶ
Ｄ及びＶＣＲ一体型テレビジョン受像機を提供することを目的とする。
【課題を解決するための手段】
【０００７】
上記目的を達成するために本発明は、ＤＶＤ再生機能と、ＶＣＲ録画・再生機能と、テ
レビジョン放送受像機能と、外部入力機能とを備えたＤＶＤ及びＶＣＲ一体型テレビジョ
ン受像機において、現在の使用状態を表示するための単色のＴＶ用ＬＥＤ、ＶＣＲ用ＬＥ
Ｄ、ＤＶＤ用ＬＥＤを備え、テレビジョン放送を受像するＴＶモード、ＤＶＤを再生する
ＤＶＤモード、ビデオテープを再生又は録画したり外部入力を行うＶＣＲ・外部モード、
チャンネルを設定するためのセットアップモードを備え、ＴＶモードではＴＶ用ＬＥＤを
点灯させ、ＶＣＲ・外部モードであってＶＣＲ停止・再生中はＶＣＲ用ＬＥＤを点灯させ
、ＤＶＤモードであってＤＶＤ停止・再生中はＤＶＤ用ＬＥＤを点灯させ、ＶＣＲ・外部
モードであってＶＣＲ停止、且つ外部入力中はＴＶ用ＬＥＤを点灯させ、ＴＶモードであ
ってＶＣＲ録画中はＴＶ用ＬＥＤを点灯、且つＶＣＲ用ＬＥＤを点滅させ、ＤＶＤモード
であってＤＶＤ停止・再生中、且つＶＣＲ録画中はＤＶＤ用ＬＥＤを点灯、且つＶＣＲ用
ＬＥＤを点滅させ、ＶＣＲモードであってＶＣＲ録画、且つ外部入力中はＴＶ用ＬＥＤを
点灯、且つＶＣＲ用ＬＥＤを点滅させ、セットアップモードではＴＶ用ＬＥＤを点灯させ
ることを特徴とする。
【０００８】
また本発明は、ＤＶＤ再生機能と、ＶＣＲ録画・再生機能と、テレビジョン放送受像機
能と、外部入力機能とを備えたＤＶＤ及びＶＣＲ一体型テレビジョン受像機において、現
在の使用状態を表示するためのＴＶ用ＬＥＤ、ＶＣＲ用ＬＥＤ、ＤＶＤ用ＬＥＤを備え、
高圧が立ち上がっている電源オン状態では前記３つのＬＥＤの少なくとも１つを点灯させ
ることを特徴とする。
【０００９】
上記のＤＶＤ及びＶＣＲ一体型テレビジョン受像機に、チャンネルを設定するためのセ
ットアップモードを備え、セットアップモードではＴＶ用ＬＥＤを点灯させることを特徴
とする。
【００１０】
更に上記のＤＶＤ及びＶＣＲ一体型テレビジョン受像機に、テレビジョン放送を受像す
るＴＶモード、ＤＶＤを再生するＤＶＤモード、ビデオテープを再生又は録画したり外部
入力を行うＶＣＲ・外部モードを備え、ＴＶモードではＴＶ用ＬＥＤを点灯させ、ＶＣＲ
・外部モードであってＶＣＲ停止・再生中はＶＣＲ用ＬＥＤを点灯させ、ＤＶＤモードで
あってＤＶＤ停止・再生中はＤＶＤ用ＬＥＤを点灯させ、ＶＣＲ・外部モードであってＶ
ＣＲ停止、且つ外部入力中はＴＶ用ＬＥＤを点灯させ、ＴＶモードであってＶＣＲ録画中
はＴＶ用ＬＥＤを点灯、且つＶＣＲ用ＬＥＤを点滅させ、ＤＶＤモードであってＤＶＤ停
止・再生中、且つＶＣＲ録画中はＤＶＤ用ＬＥＤを点灯、且つＶＣＲ用ＬＥＤを点滅させ
、ＶＣＲモードであってＶＣＲ録画、且つ外部入力中はＴＶ用ＬＥＤを点灯、且つＶＣＲ
用ＬＥＤを点滅させることを特徴とする。
【００１１】
なお、前記ＴＶ用ＬＥＤ、ＶＣＲ用ＬＥＤ、ＤＶＤ用ＬＥＤは単色であることを特徴と
する。
【発明の効果】
【００１２】
本発明によると、高圧が立ち上がっている電源オン状態ではＴＶ用ＬＥＤ、ＶＣＲ用Ｌ
ＥＤ、ＤＶＤ用ＬＥＤの少なくとも１つが必ず点灯するので、安全規格を満たすことがで
きる。また、従来あった電源用ＬＥＤを抹消することができ、コストの削減になる。
【発明を実施するための最良の形態】
【００１３】
図１は、ＤＶＤ及びＶＣＲ一体型テレビジョン受像機の要部を示すブロック図である。
ＤＶＤ及びＶＣＲ一体型テレビジョン受像機１０は、テレビジョン放送受像部（不図示）
と、ＤＶＤ再生部（不図示）と、ＶＣＲ録画・再生部（不図示）と、外部入力端子（不図
示）と、現在の使用状態を表示するためのＴＶ用ＬＥＤ１１と、ＶＣＲ用ＬＥＤ１２と、
ＤＶＤ用ＬＥＤ１３と、３つのＬＥＤ１１〜１３を制御するマイコン１４とを備えている
。
【００１４】
ユーザは、リモコン（不図示）等の操作により電源をオンにし、テレビジョン放送を受
像するＴＶモード、ＤＶＤを再生するＤＶＤモード、ビデオテープを再生又は録画したり
外部入力を行うＶＣＲ・外部モード、チャンネルを設定するためのセットアップモードと
いった各モードに切り換えることができる。
【００１５】
図２は、ＤＶＤ及びＶＣＲ一体型テレビジョン受像機１０の筐体前面に配置された各Ｌ
ＥＤを示す図である。これらのＬＥＤ１１〜１３は、例えば、画面の外枠を形成する筐体
前面の適当な位置に配置される。筐体には各ＬＥＤ１１〜１３のモードが印刷される。Ｔ
Ｖ用ＬＥＤ１１の上部の筐体部分には「ＴＶ」、ＶＣＲ用ＬＥＤ１２の上部の筐体部分に
は「ＶＣＲ」、ＤＶＤ用ＬＥＤ１３の上部の筐体部分には「ＤＶＤ」、３つのＬＥＤ１１
〜１３の下部の筐体部分には３つのＬＥＤ１１〜１３をまとめて「電源」と印刷されてい
る。
【００１６】
これにより、各ＬＥＤ１１〜１３の点灯や点滅によりそのモードが使用状態であること
が視認でき、３つのＬＥＤ１１〜１３の何れかが点灯していることにより電源がオン状態
であることが視認できる。なお、３つのＬＥＤ１１〜１３の何れも点灯・点滅していない
状態はスタンバイ状態であると認識できる。
【００１７】
図３は、モード切り換え時の動作を示すフローチャートである。まず、ステップＳ１０
においてユーザによりリモコンの電源ボタンが押下されると、ステップＳ１１へ進んで電
源がオンとなり、ＴＶモードになり前回受信していたチャンネルを受像する。
【００１８】
ＴＶモード時に、ステップＳ１２においてユーザにより再度電源ボタンが押下されると
、ステップＳ１３へ進んで電源ボタンが所定時間（例えば１秒）以上押され続けたか否か
を判別する。ステップＳ１２において電源ボタンが所定時間以上押下されたと判別した場
合は、ステップＳ２０へ進んでＤＶＤ及びＶＣＲ一体型テレビジョン受像機１０の電源を
オフにする。一方、ステップＳ１２において電源ボタンが所定時間未満押下されたと判別
した場合は、ステップＳ１４へ進んでＤＶＤモードに切り換わり、ＤＶＤソフトの挿入待
ち、又は再生待ち（停止）状態となる。
【００１９】
ＤＶＤモード時に、ステップＳ１５においてユーザにより再度電源ボタンが押下される
と、ステップＳ１６へ進んで電源ボタンが所定時間（例えば１秒）以上押され続けたか否
かを判別する。ステップＳ１６において電源ボタンが所定時間以上押下されたと判別した
場合は、ステップＳ２０へ進んでＤＶＤ及びＶＣＲ一体型テレビジョン受像機１０の電源
をオフにする。一方、ステップＳ１６において電源ボタンが所定時間未満押下されたと判
別した場合は、ステップＳ１７へ進んでＶＣＲ・外部モードに切り換わり、ビデオテープ
の挿入待ち、再生・録画待ち（停止）、又は外部入力待ち状態となる。
【００２０】
ＶＣＲ・外部モード時に、ステップＳ１８においてユーザにより再度電源ボタンが押下
されると、ステップＳ１９へ進んで電源ボタンが所定時間（例えば１秒）以上押され続け
たか否かを判別する。ステップＳ１９において電源ボタンが所定時間以上押下されたと判
別した場合は、ステップＳ２０へ進んでＤＶＤ及びＶＣＲ一体型テレビジョン受像機１０
の電源をオフにする。一方、ステップＳ１９において電源ボタンが所定時間未満押下され
たと判別した場合は、ステップＳ１１に戻りＴＶモードに切り換わる。
【００２１】
このように、電源ボタンを押すと電源がオンとなり、電源ボタンを押す毎に各モードに
順に切り換わり、電源ボタンを長押しすることにより電源がオフとなる。また、ＶＣＲ一
体型テレビジョン受像機１０の購入後に初めて電源をオンにした場合やリモコン等でセッ
トアップが選択された場合は、セットアップモードとなり、チャンネル設定のための画面
に切り換わる。
【００２２】
なお、各モードの切り換えの順序には特に限定はない。また電源ボタンで電源のオン・
オフを行い、モード切換ボタンで３つのモード（ＴＶ、ＤＶＤ、ＶＣＲ・外部モード）に
順に切り換わるようにしてもよい。
【００２３】
次に、使用状態に対する３つのＬＥＤ１１〜１３の発光状態を説明する。ここでは各Ｌ
ＥＤ１１〜１３は単色であるとする。（１）ＴＶモード、つまりテレビジョン放送を受像
中はＴＶ用ＬＥＤ１１を点灯させる。（２）ＶＣＲ・外部モードであってＶＣＲ停止・再
生中はＶＣＲ用ＬＥＤ１２を点灯させる。（３）ＤＶＤモードであってＤＶＤ停止・再生
中はＤＶＤ用ＬＥＤ１３を点灯させる。（４）ＶＣＲ・外部モードであってＶＣＲ停止、
且つ外部入力中は、ＴＶ用ＬＥＤ１１を点灯させる。（５）ＴＶモードつまりテレビジョ
ン放送を受像中であってＶＣＲ録画中はＴＶ用ＬＥＤ１１を点灯、且つＶＣＲ用ＬＥＤ１
２を点滅させる。（６）ＤＶＤモードであってＤＶＤ停止・再生中、且つＶＣＲ録画中は
、ＤＶＤ用ＬＥＤ１３を点灯、且つＶＣＲ用ＬＥＤ１２を点滅させる。（７）ＶＣＲモー
ドであってＶＣＲ録画、且つ外部入力中は、ＴＶ用ＬＥＤ１１を点灯、且つＶＣＲ用ＬＥ
Ｄ１２を点滅させる。（８）セットアップモードではＴＶ用ＬＥＤ１１を点灯させる。
【００２４】
このように、各モードにおける使用状態によって、各ＬＥＤ１１〜１３を点灯又は点滅
させることで、使用状態を視認することができる。また上記（１）〜（８）の使用状態で
は常にＬＥＤ１１〜１３の何れかが点灯している。従って高圧が立ち上がる電源オン状態
では常に何れかのＬＥＤ１１〜１３が点灯していることになるので、安全規格を満たすこ
とができ、且つ電源オン状態を表示するＬＥＤを抹消することができるのでコストの削減
になる。
【００２５】
上記のＬＥＤ１１〜１３には安価な単色のＬＥＤを用いたが、ＬＥＤ１１〜１３の何れ
かに２色ＬＥＤを用いて、スタンバイ状態で点灯するようにしてもよい。また、ＴＶ用Ｌ
ＥＤ１１とＤＶＤ用ＬＥＤ１３からの発光をプリズムで合成して電源オン状態を表示する
ようにしてもよい。
【産業上の利用可能性】
【００２６】
本発明のＤＶＤ及びＶＣＲ一体型テレビジョン受像機は、ＤＶＤ再生部と、ＶＣＲ録画
・再生部と、テレビジョン放送受像部と、外部入力部とを１つの筐体内に収めた機器であ
る。
【図面の簡単な説明】
【００２７】
【図１】本発明のＤＶＤ及びＶＣＲ一体型テレビジョン受像機の要部を示すブロック図である。
【図２】本発明のＤＶＤ及びＶＣＲ一体型テレビジョン受像機の筐体前面に配置された各ＬＥＤを示す図である。
【図３】本発明のＤＶＤ及びＶＣＲ一体型テレビジョン受像機のモード切り換え時の動作を示すフローチャートである。
【符号の説明】
【００２８】
１０    ＤＶＤ及びＶＣＲ一体型テレビジョン受像機
１１    ＴＶ用ＬＥＤ
１２    ＶＣＲ用ＬＥＤ
１３    ＤＶＤ用ＬＥＤ
１４    マイコン
【図１】
2005340969.tif 000003
【図２】
2005340969.tif 000004
【図３】
2005340969.tif 000005